(57)【要約】      （修正有）【課題】毛様体筋に作用して毛様体筋の弾力性を維持して眼精疲労を回復する。【解決手段】眼鏡は、枠体２内に収められたレンズ１と、枠体２を耳にかけるためのテンプル６を有する眼鏡であって、テンプル６部分に赤外線を発生させる赤外線放射体として炭素材２２を有する。【選択図】図１
2018031974.tif 000002
【特許請求の範囲】
【請求項１】
枠体内に収められたレンズと、枠体を耳にかけるためのテンプルを有する眼鏡であって、該テンプル部分に赤外線を発生させる赤外線放射体として炭素材を有することを特徴とする眼鏡。
【請求項２】
上記枠体、レンズおよびテンプルの表面の少なくとも一部に導電性透明コーティング層が形成されており、該テンプルの内部に、芯材の周囲に、該芯材とは絶縁状態であって絶縁膜を有する線状導電性金属がスパイラルに巻回されて埋設されてなり、該スパイラルに巻回した線状導電性金属の両末端が、導電性透明コーティング層と接続している磁場発生部を有することを特徴とする請求項１に記載の眼鏡。
【請求項３】
上記導電性透明コーティング層で受けた電磁波が上記芯材にスパイラルに巻回された線状導電性金属に供給されて電磁波の強度に応じて変動する変動磁場を形成することを特徴とする請求項２に記載の眼鏡。
【請求項４】
上記変動電磁場および赤外線放射体が、毛様体筋に対して温感マッサージ効果を有することを特徴とする請求項３に記載の眼鏡。
【請求項５】
上記磁場発生部が、中空コイルであることを特徴とする請求項２に記載の眼鏡。
【発明の詳細な説明】
【技術分野】
【０００１】
本発明は眼球のピントを合わせる毛様体筋に作用して緊張をほぐすことができる眼鏡に関する。
【背景技術】
【０００２】
我々が生活して行く上で非常に重要な感性として視覚がある。視覚は毛様体筋を含む眼筋によって支えられた眼球から取り込まれた光学的変化を認識することにより人が認知する感覚である。
【０００３】
この視覚を司る眼球は眼筋によって支えられると共に運動し、一般的に眼筋の運動は1日１０万回以上であると言われている。従って眼筋を酷使し続けると眼筋を形成する毛様体筋の筋力と水晶体の弾力とが低下し、近視あるいは老眼の進行が加速される一因になっていると考えられている。
【０００４】
ところが、近時、液晶画面を用いたパソコン、スマートフォーンなどの光学表示装置の発達が著しく、このような光学表示装置からは、眼にとって一部で有害と指摘されている光線が放出されており、長時間こうした光線に晒されるとＶＤＴ（Visual display terminal）症候群と言われる目の疲労が大きな問題になってきている。スマートフォンあるいはパソコンでは、画面の隅々から必要な情報を得て、その意味を咀嚼し、その情報に対しての指示、確認、実効並びにその結果の反応等、一連の動作が必要であり、結果として長時間、目を近地点の一点（画面上）に焦点を合わせ続けることになる。そのことは、長時間にわたって毛様体筋を一定筋度に保つという状態で毛様体筋がロックされてしまい、この状態が長く続くと毛様体筋の弾性が失われるという問題が生ずる。
例えば、テレビゲームの及ぼす影響について次のような報告がある。
【０００５】
北里大学病院検査技師１０人に対し、１日４時間の間テレビゲームをさせ、目にどのような影響を与えるかを実験した。その結果、テレビ画面からの電磁波被曝により、８人の人の眼、即ち１６の眼に角膜上皮症が認められ、目の調節機能を減退させ、瞳孔の近見反応に異常があることが判明したことが「北里大学医学部眼科、宮田教授ほか、１９９８年眼科臨床医報」に公開されている（非特許文献１）。
【０００６】
ところで、眼精疲労の回復に遠赤外線が有効であることが特許文献１（実開平７−１９７３０号公報）に開示されている。特許文献１には、眼鏡のフレームが皮膚と接触しない部分における少なくとも一部を、遠赤外線放射体を備える部分とした眼鏡フレームの発明が開示されている。しかしながら、特許文献１で遠赤外線放射体として使用されているのは入射した放射線を１としたときの放射率が０．５以上、より好ましくは０．８以上の黒体であり、具体的にはＺｒＯ2−ＳｉＯ2系，Ａｌ2Ｏ3−ＳｉＯ2系，ＴｉＯ2−Ｃｒ2Ｏ3系、Ａｌ2Ｏ3−（Ｓｉ，Ｔｉ）Ｏ2系のセラミックスである。このような素材は、遠赤外線をより多く吸収し、放射するセラミックスであるが、毛様体筋に対する赤外線の作用に関しては記載はない。
【先行技術文献】
【特許文献】
【０００７】
【特許文献１】実開平７−１９７３０号公報
【非特許文献】
【０００８】
【非特許文献１】北里大学医学部眼科、宮田ほか、眼科臨床医報；１９９８年
【発明の概要】
【発明が解決しようとする課題】
【０００９】
本発明は毛様体筋を加温して、毛様体筋の柔軟性を保つことができる眼鏡を提供することを目的としている。
【課題を解決するための手段】
【００１０】
本発明の眼鏡は、枠体内に収められたレンズと、枠体を耳にかけるためのテンプルを有する眼鏡であって、該テンプル部分に赤外線を放射させる赤外線放射体として炭素材を有することを特徴としている。
【００１１】
特に本発明では、上記のような赤外線放射体として炭素材を有すると共に、枠体内に収められたレンズと、枠体を耳にかけるためのテンプルを有する眼鏡であって、該枠体、レンズおよびテンプルの表面の少なくとも一部に導電性透明コーティング層が形成されており、該テンプルの内部に、芯材の周囲に、該芯材とは絶縁状態であって絶縁膜を有する線状導電性金属がスパイラルに巻回されて埋設されてなる磁場発生部を有し、該磁場発生部にスパイラルに巻回した線状導電性金属の両末端が、導電性透明コーティング層と接続していることが好ましい。
【００１２】
本発明の眼鏡は、上記導電性透明コーティング層で受けた電磁波が上記芯材にスパイラルに巻回された線状導電性金属に供給されて電磁波の強度に応じて変動する変動磁場を形成する。
本発明において磁場発生部は、中空コイルであることが好ましい。
【発明の効果】
【００１３】
本発明の眼鏡では、赤外線放射体として炭素材を有している。この炭素材は赤外線の吸収体であると同時に赤外線の放射体でもあるので、赤外線を吸収して毛様体方向に放射することにより赤外線によって毛様体筋を暖め、毛様体筋の血行を良好に保つことができる。
【００１４】
さらに、本発明の眼鏡は、上記の赤外線放射体としての炭素材と共に、レンズ、フレームの少なくとも一部の表面に導電性透明コーティング層が形成されており、外部からの光、すなわち電磁場の一部は、導電性透明コーティング層の表面を伝わり磁場発生部に供給される。この導電性透明コーティング層は、テンプルに埋め込まれた磁場発生部の線状導電性金属と接続しており、芯材にスパイラル状に巻回された線状導電性金属に伝わることにより、芯材の長さ方向に沿った方向に磁場が発生する。この磁場の強さは、導電性透明コーティング層に供給される電磁場の強弱に対応するので、形成される磁場は変動磁場となることが好ましい。
【００１５】
この磁場の強さは、外部の電場の強弱・方向によって変動するので形成される磁場は変動磁場、好ましくは交流磁場となる。
こうして形成された赤外線放射体である炭素材は、眼球の毛様体筋に作用して毛様体筋を暖める作用があると共に、磁場の変動に伴って毛様体筋はその磁場の強さに応じて磁気マッサージされるので、温感マッサージを受けることができる。
【００１６】
この温感マッサージ効果は、磁場がレンズに外部の電磁場の強弱・方向が変動するので、一点に焦点を当てて毛様体筋が動かない状態でも、電磁場の強弱に応じて変動する効果がある。
【００１７】
従って、パソコンやスマートフォンを凝視するようにして毛様体筋を一定の張力で固定しても、炭素材によって血行が改善された毛様体筋に、眼鏡に入光の強さは変動する変動磁場が作用するので、テンプルに埋め込まれた磁場発生部から発生する磁力の強さは可変的であり、毛様体筋に変動する磁力を当てることができる。
【００１８】
このように照射される可変的な磁力によって毛様体筋は温感マッサージし続けられるので、焦点が一点に長時間集中しても、毛様体筋がかたまることなく、弾力性を維持することができる。
【図面の簡単な説明】
【００１９】
【図１】図１は、本発明の眼鏡の構造の一例を概念的に示す概念図である。
【図２】図２は、本発明で使用する磁場発生部の一例を示す概念図である。
【発明を実施するための形態】
【００２０】
次の本発明の眼鏡を図面を参照しながら詳細に説明する。
図１は本発明の眼鏡の構造の一例を概念的に示す概念図であり、フレームは付番２で示されており、このフレーム２にはめ込まれるレンズは付番１で示されている。フレーム２の両側には、丁番５を介してテンプル６の先端部が接合しており、テンプル６の後端部には耳に眼鏡をかけるためのモダン７が形成されている。
【００２１】
右のレンズと左のレンズはフレーム２に形成されたブリッジ４によって一体化されており、ブリッジ４が形成されたフレーム２の下側には眼鏡を鼻にかけるパット３が形成されている。
【００２２】
本発明においてレンズ１は、ガラスレンズであっても、プラスチックレンズであっても良い。なお、本発明において、レンズは度の入っていないレンズであっても良い。
本発明の眼鏡のテンプル６は、合成樹脂から形成されていることが好ましい。
【００２３】
本発明のメガネには、テンプル６に赤外線放射体２２が設けられている。この赤外線放射体は、赤外線を放射する特性を有し、炭素材を含むものである。本発明で使用する炭素材は、例えばコールタールなどから黒鉛電極用などのために製造された炭素材を使用することができる。
【００２４】
本発明で使用する赤外線放射体２２は炭素材を含むものであり赤外線を放射できるものであれば特に制限されず、種々のものを併用することができる。
このような赤外線放射体として使用される炭素材と共に使用することができる赤外線放射体の例としては、ＺｒＯ2−ＳｉＯ2系の焼成体，Ａｌ2Ｏ3−ＳｉＯ2系の焼成体，ＴｉＯ2−Ｃｒ2Ｏ3系の焼成体、Ａｌ2Ｏ3−（Ｓｉ，Ｔｉ）Ｏ2系の焼成体を挙げることができる。これらの材料は、炭素材と共に使用することにより、遠赤外線照射体としても作用する。
【００２５】
本発明において赤外線放射体から照射される遠赤外線は、赤色光よりも波長が長く、ミリ波長の電波よりも波長の短い電磁波全般を指し、波長ではおよそ０．７μｍ〜１ｍｍ （=１０００μｍ） に分布するものである、特に本発明では波長３μｍ〜１０００μｍの範囲内にある赤外線を発生させる赤外線放射体を用いることが好ましい。従って、本発明において赤外線は、遠赤外線も含むものである。本発明のように赤外線放射体として炭素材を使用することにより、幅広い波長の赤外線を照射することができる。
【００２６】
このように赤外線放射体として炭素材を用いる場合、炭素材棒を、テンプルの厚さに切った円筒板をテンプルに嵌め込んで用いることもできるし（図１参照）、板状の炭素材をテンプルの長手方向に沿って埋設することもできる。
【００２７】
赤外線放射体の大きさは、円筒板状の場合、通常は直径が２〜１０ｍｍ、厚さが１〜７ｍｍの範囲にある。また、板状の炭素材をテンプルの長手方向に沿って配置する場合には、厚さ５〜１０００μｍで５〜１０ｍｍ×１０〜５０ｍｍの板材を使用することが好ましい。
上記のようなサイズの赤外線放射体を用いることにより、後述する磁場発生部２０を併設することができる。
【００２８】
本発明における赤外線放射体の設置位置は、テンプルのこめかみ付近であり、後述する磁場発生部２０のモダン７寄りである。このように赤外線放射体を配置することにより、サーモグラフィーで測定してみると、眼球の周囲の温度、すなわち毛様体筋のある部分の温度が高くなることが判る。従って、毛様体筋への血液の供給が常に良好な状態に保たれ、毛様体筋が硬直するのを防止することができる。
【００２９】
さらに本発明では、上記の赤外線放射体２２の他に、磁場発生部２０を併設することが好ましい。
このような場合、本発明の眼鏡は、レンズ１、フレーム２、テンプル６、モダン７等の眼鏡を構成する部材の少なくとも一部の表面に導電性透明コーティング層１０が形成されていることが好ましい。特に本発明では、レンズ１の表面および／または裏面の導電性透明コーティング層１０を形成し、この導電性透明コーティング層１０と接続するようにフレーム２およびテンプル６の表面に導電性透明コーティング層１０を形成する磁場発生部を有することが好ましい。
【００３０】
このような導電性透明コーティング層は、例えばＳｎＯ2にドーパントを配置したものが広く用いられており、インジウムを導入したＩＴＯ、フッ素を導入したＦＴＯが挙げられる。その他にも、ＺｎＯ若しくはＡｌをドープした酸化亜鉛、ＧａをドープしたＺｎＯ、などを挙げることができる。これらは単独で或いは組み合わせて使用することができる。
【００３１】
特に本発明ではコーティング層に入射する光（波長４５０ｎｍ）の光線透過率が８９％以上のものを使用することが好ましい。
このような導電性透明コーティング層１０の形成方法に特に制限はないが、通常は蒸着法、スパッタリング法などの公知の方法を利用して形成することができる。
これらの中でも特にＩＴＯ（光線透過率：８９％以上）を用いることが好ましい。
【００３２】
本発明において、導電性透明コーティング層の厚さは、全体が同一厚さである必要はないが、通常は平均厚さが０．１〜２００ｎｍ、好ましくは１〜１０ｎｍの範囲内に設定される。ただし、レンズ部分はできるだけ透過光量が低下しないように導電性透明コーティング層を形成することが望ましく、レンズ部分のコーティング層の好適な平均厚さは０．１〜１００ｎｍ、望ましくは１〜１０μｍの範囲内にある。
【００３３】
この磁場発生部２０のテンプル内における設置位置は、眼球に磁場が到達するように丁番５から１〜３ｃｍの範囲に磁場発生部２０の中心が位置するようにすることが好ましい。
【００３４】
磁場発生部２０は、芯材１２と、この周囲に芯材とは絶縁状態であって絶縁膜を有するエナメル線のような線状導電性金属から形成されている。本発明では磁場発生部２０として中空コイルを使用することができ、この場合、特に有形の芯材を必要としない。中空コイルを使用しない場合、芯材としてプラスチックなどの絶縁材料を使用することができる。
【００３５】
芯材を用いる場合、芯材の太さはテンプル６に埋設されることから、通常は０．９〜１．３ｍｍであり、長さは通常は１０〜２０ｍｍである。このような芯材は単独で或いは組み合わせて使用することができる。
【００３６】
このような芯材にスパイラル状に巻かれる線状導電性金属１４は、通常は平均太さが０．０５〜０．５ｍｍ、好ましくは０．１〜０．３μｍの導電性の金属の表面に絶縁層を形成した導電性金属線であり、例えば代表的な例であるエナメル線は銅線の表面に樹脂コーティングを施した線材であり、ホルマル線（ＰＶＦ）、ポリウレタンによる被覆層を有するＵＥＷ線も含まれる。その他にポリイミド被覆線（ＰＩＷＣ線）などを挙げることができる。
【００３７】
通常の場合、線状導電性金属１４は単一の線材を使用するが、複数の線材を組み合わせても良い。
芯材にスパイラルに巻回される線状導電性金属は、電気的に芯材とは絶縁状態にあると共に、巻回される前後の周回の線状導電性金属とも絶縁状態にある。線状絶縁性金属は、芯材の周囲に少なくとも一回スパイラルに巻回されていれば良いが、より高い磁性を発生させるためには２〜３回密にスパイラルに巻回し、このように密にスパイラルに巻回した上にさらに密にスパイラルに複数回巻回することもできる。このように複数回スパイラルに巻回することにより芯材の長さ方向に沿って強い磁界が発生する。
【００３８】
上記のような磁場発生部２０はテンプル６内に埋設されており、磁場発生部２０を形成する線状導電性金属１４の一方の端部は、テンプル６の表面にある導電性透明コーティング層１０と螺旋１６で接続しており、磁場発生部２０の線状導電性金属１４は螺旋１９を介してモダン７側の導電性透明コーティング層１０に接続し、このモダン７側の螺旋１９は人体と接触しているので、人体にアースされることが好ましい。
【００３９】
上記のようにして磁場発生部２０では、レンズ等に形成された導電性透明コーティング層のインダクタンスの増減によって、テンプル６の長さ方向に沿って埋設された磁場発生部２０で発生する磁場の強さも変動する。本発明においてはこの変動磁場が交流磁場であることが好ましい。
【００４０】
このように磁場が変動することにより、毛様体筋に異なる強さの磁場が作用することになり、毛様体筋が異なる強さの磁場によって刺激され、この刺激によって毛様体筋がマッサージを受けることになる。
【００４１】
従って、眼球の焦点が一点に固定され、毛様体筋に一定の張力がかかった状態が長く続くような場合にも、毛様体筋には赤外線放射体からの赤外線による温熱効果と変動磁場からの磁場変動による刺激とが加えられ、毛様体筋の伸縮性が失われるのを防止することができる。
このように赤外線と変動磁場とを毛様体筋にかけることにより、眼精疲労を回復させることができる。
【符号の説明】
【００４２】
１・・・レンズ
２・・・フレーム
３・・・パット
４・・・ブリッジ
５・・・丁番
６・・・テンプル
７・・・モダン
１０・・・導電性透明コーティング層
１２・・・芯材
１４・・・線状導電性金属
１６・・・螺旋
１９・・・螺旋
２０・・・磁場発生部
２２・・・赤外線放射体
【図１】
2018031974.tif 000003
【図２】
2018031974.tif 000004